(57)【要約】【課題】低い閉めトルクでもラチェット効果が生じ、現状の成形設備でも金型の一部改善によって実現可能な容器のラチェット構造および液体注出容器を提供する。【解決手段】容器１０の口元部１０ａ外周と前記中栓体１４Ａの椀状部２４の内周との各対向部分における、容器１０の口元部１０ａ外周には、該口元部１０ａの軸中心（Ｏ）から径方向外側に突出する係合部２６ｂを設けると共に、前記中栓体１４Ａの椀状部２４の内向き壁面に前記係合部２６ｂに係合するための弁状の係合爪部２６ａを設け、この係合爪部２６ａは前記軸方向側端部が固定されずに前記の内向き壁面から径方向内側に向けて延在している。【選択図】図１
2010006437.tif 000002
【特許請求の範囲】
【請求項１】
内容液を収容する容器にキャップが螺合するときにラチェット効果を生じて固定する容器におけるラチェット構造であって、
前記キャップに、前記容器の口元部をその外周から覆って装着するための椀状部を形成し、
前記容器の口元部外周と前記キャップの椀状部の内周との各対向部分における、容器の口元部外周には、該口元部の軸中心から径方向外側に突出する係合部を設けると共に、前記キャップの椀状部の内向き壁面に前記係合部に係合するための弁状の係合爪部を設け、この係合爪部は前記軸方向側端部が固定されずに前記の内向き壁面から径方向内側に向けて延在していることを特徴とする容器のラチェット構造。
【請求項２】
前記容器にキャップを閉め操作する場合において、容器側の係合部をキャップの係合爪部が容易に乗り越えられるように、容器の口元部外周の係合部の外面が、キャップの閉め操作時の回転方向に対する傾斜角度が鋭角に形成したものであると共に、前記係合部がキャップの係合爪部の内向き壁面部側から開放端部の順に当接するように形成し、
一方、容器からキャップを開操作しようとする場合において、容器の係合部がキャップの係合爪部を乗り越え不可能なように、該係合部の外面が、キャップの開操作時の回転方向に対する傾斜角度が鈍角に形成したものであると共に、前記係合部がキャップの係合爪部が開放端部に当接するように形成したことを特徴とする請求項１に記載の容器のラチェット構造。
【請求項３】
キャップが容器口元部に装着されて内容液を中空部から注出する注出ノズルを設けた中栓体であり、この中栓体にはその注出ノズルを覆うオーバキャップを着脱できるものであり、
前記中栓体を請求項１または２に記載のラチェット構造によってラチェット効果を生じて容器に固定したことを特徴とする液体注出容器。
【請求項４】
前記オーバキャップは、前記注出ノズルから注出した液体を受け止めて計量する計量部を設けた計量キャップであることを特徴とする請求項３に記載の液体注出容器。
【発明の詳細な説明】
【技術分野】
【０００１】
本発明は、内容液を収容する容器にキャップが螺合するときにラチェット効果を生じて固定する容器のラチェット構造および液体注出容器に関する。
【背景技術】
【０００２】
従来、液体洗剤のような液体洗浄剤向けに用いられる容器形態の場合、本体にノズル付中栓を嵌合させて注出方向を位置合わせし、さらにその中栓に計量キャップ（オーバキャップ）等を着脱自在に備えたものがある。
【０００３】
このような容器を使用する場合には、計量キャップを回動してノズル付中栓から取り外すが、この時の戻しトルクによってノズル付中栓が一体状態で前記本体から外れないように、ノズル付中栓と容器の嵌合部位にはラチェット構造を設けるのが一般的である。
【０００４】
特開平７−３３００００号公報（特許文献１）には、容器の嵌合部位にラチェット構造を設ける容器キャップの戻り回転防止機構が記載されている。この戻り回転防止機構は、容器本体とノズル付中栓との間に、容器本体の外ラチェット歯とノズル中栓の内ラチェット歯の少なくとも一方が２種類以上のピッチで構成されているラチェット機構を設けたものである。この戻り回転防止機構によれば、容器キャップの停止位置が正規停止位置からずれた場合でも内ラチェット歯と外ラチェット歯とでラチェット歯のピッチが全て同一では無いので、どれかの歯が当接し、戻り回転防止機能を発揮するようにしている。
【０００５】
図６〜図８は、容器１０の口元部１０ａに装着されて内容液を中空部１２ａから注出する注出ノズル１２を設けた中栓体１４を、従来のラチェット構造１６によって前記口元部１０ａに螺合し固定するようにした液体注出容器を説明するものである。なお、この中栓体１４にはその注出ノズル１２を覆うオーバキャップ１８を着脱できるものである。
【０００６】
中栓体１４は、ノズル１２の基部から軸方向の上方に向けて立ち上がり、側面のスリット１２ｂで中空部１２ａは開放している。ノズル１２周囲に空間２２を隔てて筒状壁部２０が立設しており、該ノズル１２基部から底部を介して筒状壁部が連続している。ノズル１２の基部付近の中空部１２ａは、基部に囲まれる位置から底部の低い位置に亘って開口した開口部１２ｃに連通しており、この開口部１２ｃから容器１０内から液を流し出し、戻り液を容器１０内に流し込むように形成されている。
【０００７】
なお、ノズル１２基部と筒状壁部２０との間の空間２２には、オーバキャップ１８の計量部を挿入してオーバキャップ１８が中栓体１４に螺合によって着脱容易に取付けられるようになっている。
【０００８】
ここで、前記中栓体１４には、前記筒状壁部２０が容器１０口元部１０ａ内に挿入した状態で、該口元部１０ａを覆って該口元部１０ａに中栓体１４を装着するための椀状部２４が筒状壁部２０の外周に形成されている。この椀状部２４の内周面には、雌ネジが形成され、口元部１０ａの外周面の雌ネジに螺合して、中栓体１４を口元部１０ａに取付けるようになっている。
【０００９】
前記ラチェット構造１６は、中栓体１４を口元部１０ａに螺合したときに、螺合が抜けないように回転止めするものである。ラチェット構造１６は、この中栓体１４の椀状部の下端部に板状に立設した中栓体１４側ラチェット部１６ａと、前記口元部１０ａ外周の突起状に形成された容器１０側ラチェット部１６ｂとからなる。
【００１０】
図７に示すように、口元部１０ａ外周の容器１０側ラチェット部１６ｂは口元部１０ａ基部の外周と拡径部上面壁１０ｂの２箇所に接続されて複数箇所形成され、外面に中栓体１４の回転方向に対して外方向への傾斜面が形成されている。
【００１１】
また、図８は、中栓体側ラチェット部１６ａは、中栓体１４の椀状部２４の下端部内側が段状に形成されていて、中栓体１４を上下逆にして下端部内側方向から拡大視して示すものである。図６、図８に示すように、板状の前記ラチェット部１６ａは前記段状に形成された側壁部２４ａと底面部２４ｂの２箇所に接続された状態で形成されている。
【００１２】
上記ラチェット構造１６では、容器１０に中栓体１４を締め付けて取付ける際に、図８（ｂ）に示すように、容器１０側ラチェット部１６ｂで乗り越える中栓体１４側ラチェット部１６ａは、２箇所で支持されているためラチェット部１６ａは上部端（符号１６ａ１で示す）がねじれる等して倒れ込みながら乗り越えるため、大きめの締め付けトルクを必要とする。また、上部端しか曲がらないため、各ラチェット部１６ｂ、１６ｂ同士を深く係合させることができない。そのため、取付けし易くするために締め付けトルクを小さくしたときには、中栓体１４に螺合させたオーバキャップを開栓する際に中栓体１４が口元部１０ａからゆるんで共回りして容器１０口元部１０ａから外れる場合があった。
【００１３】
また、締めトルクが著しく大きい場合には、中栓体１４のラチェット部１６ａによって容器１０側のラチェット１６ｂを削り取り、穴あき等の破損を伴うことも考えられる。
【特許文献１】特開平７−３３００００号公報
【発明の開示】
【発明が解決しようとする課題】
【００１４】
本発明は、上記実情に鑑み、低い閉めトルクでもラチェット効果が生じ、現状の成形設備でも金型の一部改善によって実現可能な容器のラチェット構造および液体注出容器を提供するものである。
【課題を解決するための手段】
【００１５】
本発明は液体注出容器にかかるものである。
【００１６】
本発明は、内容液を収容する容器にキャップが螺合するときにラチェット効果を生じて固定する容器におけるラチェット構造であって、
前記キャップに、前記容器の口元部をその外周から覆って装着するための椀状部を形成し、
前記容器の口元部外周と前記キャップの椀状部の内周との各対向部分における、容器の口元部外周には、該口元部の軸中心から径方向外側に突出する係合部を設けると共に、前記キャップの椀状部の内向き壁面に前記係合部に係合するための弁状の係合爪部を設け、この係合爪部は前記軸方向側端部が固定されずに前記の内向き壁面から径方向内側に向けて延在していることを特徴とする容器のラチェット構造である。
【００１７】
本発明においては、前記容器にキャップを閉め操作する場合において、容器側の係合部をキャップの係合爪部が容易に乗り越えられるように、容器の口元部外周の係合部の外面が、キャップの閉め操作時の回転方向に対する傾斜角度が鋭角に形成したものであると共に、前記係合部がキャップの係合爪部の内向き壁面部側から開放端部の順に当接するように形成し、
一方、容器からキャップを開操作しようとする場合において、容器の係合部がキャップの係合爪部を乗り越え不可能なように、該係合部の外面が、キャップの開操作時の回転方向に対する傾斜角度が鈍角に形成したものであると共に、前記係合部がキャップの係合爪部が開放端部に当接するように形成したことが好適である。
【００１８】
本発明は、キャップが容器口元部に装着されて内容液を中空部から注出する注出ノズルを設けた中栓体であり、この中栓体にはその注出ノズルを覆うオーバキャップを着脱できるものであり、
前記中栓体を本発明の請求項１または２に記載のラチェット構造によってラチェット効果を生じて容器に固定したことを特徴とする液体注出容器である。
【００１９】
本発明においては、前記オーバキャップは、前記注出ノズルから注出した液体を受け止めて計量する計量部を設けた計量キャップであることが好適である。
【発明の効果】
【００２０】
本発明の請求項１〜２記載の容器のラチェット構造および液体注出容器によれば、前記容器の口元部外周と前記キャップの椀状部の内周との各対向部分における、容器の口元部外周には、該口元部の軸中心から径方向外側に突出する係合部を設けると共に、前記キャップの椀状部の内向き壁面に前記係合部に係合するための弁状の係合爪部を設け、この係合爪部は前記軸方向側端部が固定されずに前記の内向き壁面から径方向内側に向けて延在しているので、キャップ側の係合爪部が内向き壁面側から先端部が変形し、従来の軸方向側端部が固定されているものに比較して弱い力で弾性変形するため口元部の係合部が乗り越える際に小さな力で乗り越えることができ、閉め操作が容易である。しかも、従来のものは無理に閉めると係合部が塑性変形して係合力が弱くなるが本発明では弾性変形が容易に係合位置に復帰するので係合力が強く確実にキャップを容器に固定することができる、という優れた効果を奏し得る。
【００２１】
また、係合爪部を、その軸方向側端部を固定しないようにキャップに形成する際に、係合爪部の軸方向端部とキャップとの間を仕切る金型を径方向に延設すれば良いため容易に形成ができる。
【発明を実施するための最良の形態】
【００２２】
以下、本発明の実施の形態を、添付図面を参照して説明する。
【００２３】
図１〜図５は本発明の実施形態に係る液体注出容器である。なお、図６〜図８と同一部分に同一の符号を付している。
【００２４】
図１（ａ）、（ｂ）は、実施形態に係る容器のラチェット構造を説明するためのノズル付の中栓体（キャップに相当）とオーバキャップの縦断面、要部拡大図、図２（ａ）、（ｂ）は中栓体の側面図、底面視図、図３（ａ）、（ｂ）は係合爪部付近で横断面視したラチェット構造の作動説明図、図４（ａ）、（ｂ）は該ラチェット構造の係合爪部付近の拡大説明図、図５は中栓体への係合爪部形成用金型構造の説明図である。
【００２５】
この実施形態は、内容液を収容する容器に中栓体１４Ａが螺合するときにラチェット効果を生じて固定する液体注出容器におけるラチェット構造に関するものである。
【００２６】
前記液体注出容器は、内容液を収容する容器１０（部分的に図示）と、前記容器１０の口元部１０ａに装着されて容器１０を傾けることによって前記内容液を中空部１２ａから注出する概略筒状の注出ノズル１２を有した中栓体１４Ａと、前記ノズル１２から注出した内容液を受け止めて一時貯留し計量する（計量目盛りが設けられる）貯留筒部（計量部）１８ａを有しかつ前記ノズル１２を覆って中栓体１４Ａに着脱自在に装着できるオーバキャップ１８とを備えたものであり、前記中栓体１４Ａをラチェット構造２６によってラチェット効果を生じて容器に固定するものである。
【００２７】
なお、中栓体１４Ａの筒状壁部２０上端部に外面部に雄ネジ部を形成し、オーバキャップ１８の下部内面部に雌ネジ部を形成しており、筒状壁部２０には、その上端部をオーバキャップ１８の下部で覆って、該オーバキャップ１８を回転させて螺合させるようになっている。
【００２８】
よりラチェット構造２６を詳しく説明する。
【００２９】
前記中栓体１４Ａには、前記容器１０の口元部１０ａをその外周から覆って装着するための椀状部２４を形成している。前記容器１０の口元部１０ａ外周と前記中栓体１４Ａの椀状部２４の内周との各対向部分における、容器１０の口元部１０ａ外周には、該口元部１０ａの軸中心（符号「Ｏ」で示す）から径方向外側に突出する係合部２６ｂを設けると共に、前記中栓体１４Ａの椀状部２４の内向き壁面に前記係合部２６ｂに係合するための弁状の係合爪部２６ａを設け、この係合爪部２６ａは前記軸方向側端部が固定されずに前記の内向き壁面から径方向内側に向けて延在している。
【００３０】
係合爪部２６ａは、実施形態では、図２〜図４に示すように、概略矩形の弁形状を呈して長手方向の一端部が前記椀状部２４の内向け壁面（側壁部２４ａ）に固定され他端部（内側端）および側端部（図で上下端）が椀状部２４（の底面部２４ｂ）から独立して形成されたものである。
【００３１】
前記ラチェット構造２６の係合爪部２６ａは椀状部２４の外側から金型を差込んで成形することによって椀状部２４の底面部２４ｂから独立作動するようになっている。図５に示すように、椀状部２４外側から係合爪部２６ａ個々に対応させて椀状部２４の側壁部２４ａに左右外側から内側に向けて平坦板状の金型２８を差込んで貫通させて、図１、図４に示すように、係合爪部２６ａを底面部２４ｂから切り離すようにして形成している。図１（ｂ）には椀状部２４に金型を通すために通し孔（スリット）３０を形成している。
【００３２】
このスリット３０は、図１、図２に示すように、中栓体１４Ａの椀状部２４の外側と内側を貫通して複数の係合爪部２６ａに応じて形成されている。
【００３３】
前記容器１０に中栓体１４Ａを閉め操作する場合において、図３（ａ）、（ｂ）に示すように、容器１０側の係合部２６ｂを中栓体１４Ａの係合爪部２６ａが容易に乗り越えられる。このようにするため、容器１０の口元部１０ａ外周の係合部２６ｂの外面が、中栓体１４Ａの閉め操作時の回転方向（図３では符号「Ｒ」方向）に対する傾斜角度が鋭角に形成したものであると共に、前記係合部２６ｂが中栓体１４Ａの係合爪部２６ａの内向き壁面部（側壁部２４ａ）側から開放端部の順に当接するように形成している。
【００３４】
一方、容器１０から中栓体１４Ａを開操作しようとする場合において、図３（ｂ）に示すように、容器１０の係合部２６ｂが中栓体１４Ａの係合爪部２６ａを乗り越え不可能なように、該係合部２６ｂの外面が、中栓体１４Ａの開操作時の回転方向に対する傾斜角度が鈍角に形成したものであると共に、前記係合部２６ｂが中栓体１４Ａの係合爪部２６ａが開放端部に当接するように形成したものである。
【００３５】
なお、容器１０は、ポリエチレン（ＰＥ）やポリプロピレン（ＰＰ）、ポリエチレンテレフタレート(ＰＥＴ)、或いはエチレンビニルアルコール（ＥＶＯＨ）とポリエチレン等との多層構造等で樹脂成形されたものである。
【００３６】
中栓体１４Ａおよびオーバキャップ１８は、ＰＥ、ＰＰ、ＡＢＳ等で形成できる。
【００３７】
次に、上記した実施の形態の作用を説明する。
【００３８】
前記容器１０の口元部１０ａ外周と前記キャップの椀状部２４の内周との各対向部分における、容器１０の口元部１０ａ外周には、該口元部１０ａの軸中心から径方向外側に突出する係合部２６ｂを設けると共に、前記中栓体１４Ａの椀状部２４の内向き壁面に前記係合部２６ｂに係合するための弁状の係合爪部２６ａを設け、この係合爪部２６ａは前記軸方向側端部が固定されずに前記の内向き壁面から径方向内側に向けて延在しているので、図３（ａ）、（ｂ）、図４（ａ）（ｂ）に示すように、中栓体１４Ａ側の係合爪部２６ａが内向き壁面側から先端部が変形する。従来の前記図８に示した軸方向側端部が固定されているもの（中栓体側ラチェット部１６ａ）に比較して弱い力で弾性変形するため口元部１０ａの係合部２６ｂが乗り越える際に小さな力で乗り越えることができ、閉め操作が容易である。
【００３９】
しかも、従来のものは無理に閉めると係合爪部や係合部が塑性変形して（図８（ｂ）参照）係合力が弱くなるが、本発明に係る実施形態では図４に示すように、弾性変形が容易に係合位置に復帰するので係合力が強く確実に中栓体１４Ａを容器１０に固定することができる。
【００４０】
また、係合爪部２６ａを、その軸方向側端部を固定しないように中栓体１４Ａに形成する際に、係合爪部２６ａの軸方向端部と中栓体（椀状部２４の底面部２４ｂ）との間を仕切る金型２８を径方向に延設すれば良いため容易に形成ができる。
【００４１】
尚、本発明の液体注出容器は、上記した実施の形態に限定されるものではなく、本発明の要旨を逸脱しない範囲内において種々変更を加え得ることは勿論である。容器口元部に取付けるキャップとしてオーバキャップ付の中栓体を例示したが、オーバキャップの無いキャップを容器口元部に取付ける場合にも採用できる。
【図面の簡単な説明】
【００４２】
【図１】（ａ）、（ｂ）は、実施形態に係る容器のラチェット構造を説明するためのノズル付の中栓体（キャップに相当）とオーバキャップの縦断面、要部拡大図である。
【図２】（ａ）、（ｂ）は中栓体の側面図、底面視図である。
【図３】（ａ）、（ｂ）は係合爪部付近で横断面視したラチェット構造の作動説明図である。
【図４】（ａ）、（ｂ）は該ラチェット構造の係合爪部付近の拡大説明図である。
【図５】中栓体への係合爪部形成用金型構造の説明図である。
【図６】（ａ）、（ｂ）は従来の容器口元部に中栓体を設けた状態の縦断面説明図、同ノズル部材の斜視図、底面視図である。
【図７】容器口元の軸方向視図、側面図である。
【図８】（ａ）、（ｂ）は従来のラチェット構造の内ラチェット歯と外ラチェット歯の拡大説明図である。
【符号の説明】
【００４３】
１０  容器
１０ａ  容器の口元部
１２  注出ノズル
１４Ａ  中栓体
２４  椀状部
２４ａ  椀状部側壁部
２４ｂ  底面部
２６  ラチェット構造
２６ａ  係合爪部
２６ｂ  係合部
２８  金型
３０  椀状部に形成のスリット
Ｒ  中栓体の閉め方向
Ｏ  軸中心
【図１】
2010006437.tif 000003
【図２】
2010006437.tif 000004
【図３】
2010006437.tif 000005
【図４】
2010006437.tif 000006
【図５】
2010006437.tif 000007
【図６】
2010006437.tif 000008
【図７】
2010006437.tif 000009
【図８】
2010006437.tif 000010